(57)【要約】【課題】  外部装置の着脱作業に関する利便性を向上させる。【解決手段】  本体２０Aと、前記本体２０Aに設けられ、パック形装置２００と第１係合する第１係合部６０１と、前記本体２０A内に設けられ、前記パック形装置２００を押し出すための押出部５０３と、前記第１係合と異なる位置で前記第１係合部６０１と第２係合する第２係合部５０６と、を有したスライダ５０１と、を備えた電子機器であって、前記スライダ５０１は、第１の位置と、第２の位置と、第３の位置とを通る軌道において往復移動が可能であり、前記スライダ５０１が前記第１の位置から第２の位置へと移動する間に前記第２係合が行われて前記第１係合が解除され、前記スライダ５００が前記第２の位置から第３の位置へと移動する間に前記第１係合の解除が継続されたまま前記押出部５０３が前記パック形部材２００を押し出すことを特徴とする電子機器。【選択図】      図５
2010073139.tif 000002
【特許請求の範囲】
【請求項１】
本体と、
前記本体に設けられ、パック形装置と第１係合する第１係合部と、
前記本体内に設けられ、前記パック形装置を押し出すための押出部と、前記第１係合と異なる位置で前記第１係合部と第２係合する第２係合部と、を有したスライダと、
を備えた電子機器であって、
前記スライダは、第１の位置と、第２の位置と、第３の位置とを通る軌道において往復移動が可能であり、
前記スライダが前記第１の位置から第２の位置へと移動する間に前記第２係合が行われて前記第１係合が解除され、
前記スライダが前記第２の位置から第３の位置へと移動する間に前記第１係合の解除が継続されたまま前記押出部が前記パック形部材を押し出すこと
を特徴とする電子機器。
【請求項２】
前記スライダは、前記スライダが前記第２の位置から第１の位置へと移動することで前記押出部を前記パック形装置から離間させ、前記スライダが前記第１の位置から第２の位置へと移動することで前記押出部と前記パック形装置の背面とを当接させる
ことを特徴とする請求項１記載の電子機器。
【請求項３】
前記押出部は、前記スライダの一端を折曲して成る折曲片である
ことを特徴とする請求項２記載の電子機器。
【請求項４】
前記第１係合部は、前記パック形装置の挿入に伴い、前記第１係合を成して前記パック形装置を前記本体に係止する
ことを特徴とする請求項３記載の電子機器。
【請求項５】
前記スライダは、前記第３の位置から押出し方向への移動を係止する係止部材が更に設けられた
ことを特徴とする請求項４記載の電子機器。
【請求項６】
前記第１係合部は、前記第２係合部により前記第２係合される第２被係合部と、当該第２被係合部に連続して形成された斜面部とを有し、
前記スライダは、前記第１の位置から第２の位置へと移動する間に、前記第２係合部により前記斜面部を押圧することで前記第１係合部を変位させ、前記第２係合を成す
ことを特徴とする請求項２記載の電子機器。
【請求項７】
前記スライダは、第２の弾性部材を介して前記本体と接続され、
前記第１の位置から前記第２の位置又は前記第３の位置に移動した後、前記第２の弾性部材からの押圧を受けて前記第１の位置へ戻される
ことを特徴とする請求項７記載の電子機器。
【請求項８】
前記本体は、前記スライダを引き出すための取っ手部が設けられた
ことを特徴とする請求項１記載の電子機器。
【発明の詳細な説明】
【技術分野】
【０００１】
本発明は、外部装置を着脱可能に収容する電子機器に関する。
【背景技術】
【０００２】
ＨＤＤ（Ｈａｒｄ  Ｄｉｓｋ  Ｄｒｉｖｅ）ユニット等の外部装置が着脱可能に収容されるデバイス収容部を有した電子機器が知られている。例えば、非特許文献１には、つまみを回動し、且つ、その状態でつまみを本体内方向に押込むことによりフック部とパック装置との係止を解除して装着部に装着されたパック装置の取外しを行うハードディスクドライブ装置が開示されている。
【非特許文献１】実開平５−３０９１９号公報（段落０００６、図１参照）
【発明の開示】
【発明が解決しようとする課題】
【０００３】
しかし、文献１に開示されている装置では、収容した外部装置の係止・係止解除・取出しに関する各作業を其々個別で行う必要がある。即ち、文献１に開示されている装置では、外部装置の簡易な着脱作業に関する配慮がなされていない。
【０００４】
そこで本発明は、上記問題を解決するためになされたものであり、外部装置の着脱作業に関する利便性を向上させることを目的とする。
【課題を解決するための手段】
【０００５】
上述の課題を解決するため、本発明に係る電子機器は、本体と、前記本体に設けられ、パック形装置と第１係合する第１係合部と、前記本体に設けられ、前記パック形装置を押し出すための押出部と、前記第１係合と異なる位置で前記第１係合部と第２係合する第２係合部と、を有したスライダと、を備えた電子機器であって、前記スライダは、第１の位置と、第２の位置と、第３の位置とを通る軌道において往復移動が可能であり、前記スライダが前記第１の位置から第２の位置へと移動する間に前記第２係合が行われて前記第１係合が解除され、前記スライダが前記第２の位置から第３の位置へと移動する間に前記第１係合の解除が継続されたまま前記押出部が前記パック形部材を押し出すことを特徴とする。
【発明の効果】
【０００６】
本発明によれば、外部装置の着脱作業に関する利便性を向上させることができる。
【発明を実施するための最良の形態】
【０００７】
以下、本発明の実施の形態について、図面を参照して詳細に説明する。
（電子機器の構成）
図１は、本発明の実施の形態に係る電子機器の外観を示す概略図である。図１では、本発明の実施形態の一例としてノートブック型パーソナルコンピュータを開示している。
【０００８】
本実施例のパーソナルコンピュータ１００は、表示部１０Ａと本体部２０Ａとから構成されている。表示部１０Ａと本体部２０Ａとはヒンジ部１５により開閉自在に接続されている。表示部１０Ａは上部筐体１０を有する。上部筐体１０には文字や画像等を表示する液晶表示パネル等からなる画像表示部１が収容されている。上部筐体１０は前面２０ｉを有する。前面２０ｉには開口部２０Ｅが開けられている。開口部２０Ｅからは画像表示部１が露出している。
【０００９】
本体部２０Ａは下部筐体２０を有す。下部筐体２０は、ＣＰＵ（Ｃｅｎｔｒａｌ  Ｐｒｏｃｅｓｓｉｎｇ  Ｕｎｉｔ）やメモリ等の電子部品を実装したプリント基板であって情報を処理する本体機能部２を収容している。下部筐体２０は、上面２０ａ、底面２０ｂ、左側面２０ｅ、右側面２０ｆ、前面２０ｇ、及び背面２０ｈを有している。この下部筐体２０には、文字やコマンドを入力するためのキーボード等の文字入力部３と、ポインティングデバイスとしてのトラックパッド４Ａと、選択・決定コマンドを入力するための決定スイッチ４Ｂと、利用者の認証等に用いる指紋センサ５０とが収納されている。右側面２０ｆには、挿入口部３０が開けられている。この挿入口部３０は、外部装置２００を収容する収容部３１に連続している。尚、外部装置２００は、ＨＤＤユニット等のパーソナルコンピュータ１００の機能を拡張する機能拡張デバイスである。
【００１０】
パーソナルコンピュータ１００は本発明の電子機器に対応している。下部筐体２０は本発明の本体に対応している。外部装置２００は本発明のパック形装置に対応している。以下、外部装置２００の構成について、図２乃至図４を参照しながら説明する。
【００１１】
（外部装置の構成）
図２は、本実施例の外部装置２００の構成を示した図である。図２（ａ）は、外部装置２００を上面２００ａ側から見た図である。図２（ｂ）は、外部装置２００を下面２００ｂ側から見た図である。図３は、パーソナルコンピュータ１００に外部装置２００が収容された状態を右側面２０ｆ側から見た図である。図４は、パーソナルコンピュータ１００に外部装置２００が収容された状態を底面２０ｂ側から見た図である。
【００１２】
外部装置２００は、上面２００ａ、下面２００ｂ、前面２００ｃ、背面２００ｄ、及び側面２００ｅ、２００ｆを有している。背面２００ｄには、コネクタ２０２が設けられている。外部装置２００は、コネクタ２０２によりパーソナルコンピュータ１００と電気的に接続してデータの送受信を実行する。側面２００ｅには、凹部２０１が形成されている。凹部２０１は、側壁部２０３を備える。側壁部２０３には、被係合部２０４が形成されている。
【００１３】
外部装置２００は、パーソナルコンピュータ１００に形成された挿入口部３０から挿入され、収容部３１に着脱可能に収容される。外部装置２００は、収容部３１に収容された場合、挿入口部３０から前面２０ｃを露出させる。外部装置２００は、前面２０ｃと右側面２０ｆとが略平面となるように収容部３１に収容される。外部装置２００の凹部２０１と収容部３１との間に形成される間隙には取っ手部３０１が位置する。尚、この取っ手部３０１については、図７及び図８を参照しながら後述する。
【００１４】
外部装置２００が、収容部３１に収容されてパーソナルコンピュータ１００とデータの送受信を実行する場合には、外部装置２００が外れないように収容部３１に係止させる必要がある。一方、外部装置２００の使用を終えて取り外す場合には、係止を解除すると共に外部装置２００を挿入口部３０から引き抜く必要がある。本実施例のパーソナルコンピュータ１００では、収容部３１に収容した外部装置２００の係止作業、係止解除作業、及び取り出し作業を簡易に実行するための外部装置２００着脱構造を備える。以下、図３乃至図１２を参照しながら、この構造について説明する。
【００１５】
（外部装置着脱構造の構成）
先ず、図５及び図６を参照しながら外部装置２００着脱機構の構成を説明する。図５は、パーソナルコンピュータ１００に外部装置２００が収容された状態のＡ−Ａ部における断面図である。図６は、本実施例の着脱機構１５０の構成を示す図である。図６（ａ）は、Ａ−Ａ部における着脱機構１５０の断面図である。図６（ｂ）は、着脱機構１５０を背面２０ｈ側から見た図である。
【００１６】
本実施例の外部装置着脱構造は、収容部３１に設けられた着脱機構１５０により構成されている。着脱機構１５０は、取っ手機構３００と、スライド機構４００と、イジェクト機構５００と、係止機構６００とから構成されている。取っ手機構３００は、イジェクト機構５００に連続して設けられる。
【００１７】
取っ手部３０１は、ヒンジ部３０２により回動可能に設けられる。これにより着脱機構１５０では、取っ手部３０１を下部筐体２０から突出させることができる。スライド機構４００は、収容部３１に設けられたスライダ支持部４０１、４０２を有している。スライド機構４００は、イジェクト機構５００を往復移動可能に支持する。
【００１８】
イジェクト機構５００は、スライド機構４００により、外部装置２００の背面２００ｄと折曲部５０２とが距離Ｓの間隔をもって離間する位置と、外部装置２００の背面２００ｄと折曲部５０２とが当接する位置と、外部装置２００を収容部３１から押し出す位置との間で移動可能に支持される。イジェクト機構５００は、取っ手機構３００と連動してスライドする。イジェクト機構５００は、外部装置２００の側壁部２０３上に設けられる。イジェクト機構５００は、イジェクト部材５０１と、折曲部５０２と、弾性部材５０８とを備える。この弾性部材５０８は、外部装置２００が収容部３１に収容されている状態で外部装置２００の背面２００ｄと折曲部５０２とが距離Ｓの間隔をもって離間するようにイジェクト部材５０１を下部筐体２０の内部方向に向かって押圧する。
【００１９】
尚、イジェクト機構５００における、外部装置２００の背面２００ｄと折曲部５０２とが距離Ｓの間隔をもって離間する位置は本発明の第１の位置に対応する。外部装置２００の背面２００ｄと折曲部５０２とが当接する位置は本発明の第２の位置に対応する。外部装置２００を収容部３１から押し出す位置は本発明の第３の位置に対応する。
【００２０】
取っ手機構３００と、スライド機構４００と、イジェクト機構５００とにより、本実施例の外部装置着脱構造では、ユーザが下部筐体２０から突出された取っ手部３０１を掴むことを可能にすると共に、当該取っ手部３０１を引くことでイジェクト機構５００と外部装置２００とを連動させて挿入口部３０から取り出すことができる。
【００２１】
係合機構６００は、係合部材６０１と、弾性部材６０７と、係合支持部６０８とを有する。弾性部材６０７は、外部装置２００が収容部３１に収容されている状態で、外部装置２００の被係合部２０４と係合するように係合部材６０１を外部装置２００に向かって押圧する。これにより本実施例の外部装置着脱構造では、収容部３１に収容された外部装置２００を下部筐体２０に係止させることができる。
【００２２】
次に図７及び図８を参照しながら本実施例の取っ手機構３００の構成を説明する。図７は、取っ手機構３００の斜視図である。図８は、取っ手機構３００の構成を示す図である。図８（ａ）は、取っ手機構３００を下面３０１ｂ側から見た図である。図８（ｂ）は、Ｂ−Ｂ部における断面図である。図８（ｃ）は、取っ手機構３００を側面３０１ｄ側から見た図である。
【００２３】
取っ手機構３００は、取っ手部３０１と、ヒンジ部３０２と、支持部３０３とを有している。この取っ手機構３００は、上面３０１ａと、下面３０１ｂと、側面３０１ｃ、３０１ｄ、３０１ｅ、３０１ｆとを有している。取っ手部３０１の側面３０１ｅには、取っ手片３０４が形成されている。取っ手部３０１の側面３０１ｅは、挿入口部３０から露出されている。取っ手部３０１は、側面３０１ｅと下部筐体２０の右側面２０ｆとが略平面になるように収容部３１内に設けられる。取っ手片３０４は、下部筐体２０の底面２０ｂに僅かな凹凸を形成させる。これにより、ユーザは指を取っ手片３０４に係けることができ、取っ手部３０１を下部筐体２０から突出させることができる。
【００２４】
ヒンジ部３０２は、取っ手部３０１と支持部３０３とに接続されている。ヒンジ部３０２は、ばね３０５と、軸部３０６とを有する。ばね３０５は、軸部３０６を回動中心として取っ手部３０１と支持部３０３とに埋め込まれている共に、取っ手部３０１を支持部３０３に対して略垂直に保持する。
【００２５】
次に図９及び図１０を参照しながら本実施例のイジェクト部材５０１の構成を説明する。図９は、イジェクト部材５０１の斜視図である。図１０は、イジェクト部材５０１の構成を示す図である。図１０（ａ）は、イジェクト部材５０１を上面５０１ａ側から見た図である。図１０（ｂ）は、イジェクト部材５０１を側面５０１ｃ側から見た図である。図１０（ｃ）は、イジェクト部材５０１を側面５０１ｆ側から見た図である。
【００２６】
イジェクト部材５０１は、折曲片５０２と、突出部５０６と、弾性部材支持部５０７とを有している。このイジェクト部材５０１は、上面５０１ａと、下面５０１ｂと、側面５０１ｃ、５０１ｄ、５０１ｅ、５０１ｆとを有している。折曲片５０２は、イジェクト部材５０１の一端を折り曲げてから成る。折曲片５０２は、側面５０１ｃ側に押圧部５０３を有する。押圧部５０３は、イジェクト部材５０１が下部筐体２０の外部方向にスライドした場合に外部装置２００の背面２００ｄと当接する。
【００２７】
本実施例のイジェクト機構５００では、押圧部５０３により外部装置２００の背面２００ｄと当接するイジェクト部材５０１の面積を増やすことで、外部装置２００を収容部３１から押し出す際に外部装置２００の背面に係る圧力を分散させることができる。これによりイジェクト部材５０１と当接する外部装置２００の背面に係る圧力負担を軽減させることができる。
【００２８】
突出部５０６は、イジェクト部材５０１の側面５０１ｅに設けられている。この突出部５０６は、イジェクト部材５０１が下部筐体２０の外部方向にスライドした場合に係合部材６０１の被係合部６０３と係合する。この係合の工程については、図２０乃至図２２を参照しながら後述する。弾性部材支持部５０７は、弾性部材５０８を支持する。
【００２９】
次に図１１及び図１２を参照しながら本実施例の係合部材６０１の構成を説明する。図１１は、係合部材６０１の斜視図である。図１２は、係合部材６０１の構成を示す図である。図１２（ａ）は、係合部材６０１を上面６０１ａ側から見た図である。図１２（ｂ）は、係合部材６０１を側面６０１ｃ側から見た図である。図１２（ｃ）は、係合部材６０１を側面６０１ｆ側から見た図である。
【００３０】
係合部材６０１は、上面６０１ａと、下面６０１ｂと、側面６０１ｃ、６０１ｄ、６０１ｅ、６０１ｆとを有している。上面６０１ａは、弾性部材支持部６０６を有している。弾性部材支持部６０６は、弾性部材６０７を支持する。下面６０１ｂは、斜面部６０４と、被係合部６０３と、係合部６０５とを有している。斜面部６０４は、外部装置２００の収容部３１への挿入に伴い、当該外部装置２００の側壁部２０３からの押圧を受け係合部材６０１を上方向（係合支持部材６０８側の方向）に変位させる。被係合部６０３は、イジェクト部材５０１の突出部５０６と係合し、係合部材６０１を係合解除位置に係止させる。係合部６０５は、係合位置で外部装置２００の被係合部２０１と係合する。ここで、係合解除位置は、係合部材６０１が係合支持部材６０８寄った位置であり、且つ被係合部６０３と突出部５０６とが係合する一方で、係合部６０５と被係合部２０１との係合が解除されてる位置である。係合位置は、係合部材６０１が外部装置寄った位置であり、且つ被係合部６０３と突出部５０６との係合が解除されている一方で、係合部６０５と被係合部２０１とが係合している位置である。
【００３１】
側面６０１ｃは、斜面部６０２を有している。斜面部６０２は、イジェクト部材５０１の下部筐体２０外部方向へのスライドに伴い、当該イジェクト部材５０１の突出部５０６からの押圧を受け係合部材６０１を上方向に変位させる。
【００３２】
次に図１３乃至図１５を参照しながら、本実施例における外部装置２００を収容部３１に係止させる過程について説明する。図１３は、外部装置２００の側壁部２０３と斜面部６０４とが当接した様子を示した図である。図１４は、外部装置２００の側壁部２０３上面と係合部６０５とが当接した様子を示した図である。図１５は、外部装置２００の被係合部２０１と係合部６０５とが係合し、外部装置２００が収容部３１に収容された様子を示した図である。
【００３３】
外部装置２００が収容部３１へ挿入されると、斜面部６０４は当該外部装置２００の側壁部２０３からの押圧を受ける。これにより係合部材６０１は係合支持部材６０８側に変位する。更に外部装置２００が下部筐体２０内部方向に挿入されると、係合部材６０１の係合部６０５は、当該外部装置２００の側壁部２０３上面に当接しながら係合部材６０１を定位置に保持する。外部装置２００が収容部３１に収容される位置、即ち外部装置２００の前面２００ｃと下部筐体２０の右側面２０ｆとが略平面となる位置となったとき、係合部材６０１は、弾性部材６０７からの押圧を受けて外部装置２００側に変位すると共に、係合部６０５を外部装置２００の被係合部２０１に係合させる。このように本実施例では、外部装置２００を収容部３１に係止させる際、外部装置２００の挿入作業と、係止作業とを同時に行うことができる。
【００３４】
次に図１６乃至図２２を参照しながら、本実施例における外部装置２００を収容部３１にから取り出す過程について説明する。図１６は、外部装置２００が収容部３１に収容された状態で取っ手部３０１を下部筐体２０外部に突出させた様子を示した図である。図１７は、イジェクト部材５０１の押圧部５０３と外部装置２００の背面２００ｄとが当接した様子を示した図である。図１８は、外部装置２００がイジェクト部材５０１の押圧部５０３からの押圧を受けて下部筐体２０外部方向に押し出される様子を示した図である。図１９は、外部装置２００の押出作業完了後の様子を示した図である。図２０は、外部装置２００が収容部３１に収容された状態における係合部材６０１の様子を示した図である。図２１は、イジェクト部材５０１の係合部６０５と外部装置２００の被係合部２０１との係合が解除された様子を示した図である。図２２は、イジェクト部材５０１の係合部６０５と外部装置２００の被係合部２０１との係合が解除された状態で、外部装置２００が下部筐体２０から押し出される様子を示した図である。
【００３５】
外部装置２００が収容部３１に収容された状態では、イジェクト部材５０１の押圧部５０３と外部装置２００の背面２００ｄとが間隔Ｓを保って離間している。取っ手部３０１は、ヒンジ部３０２に埋め込まれたばね３０５により、支持部３０３に対して略垂直に保持されている。係合部材６０１の係合部６０５は、外部装置２００の被係合部２０１と係合して外部装置２００を下部筐体２０に係止させている。この状態でユーザは、指を取っ手片３０４にかけて取っ手部３０１を下部筐体２０外部方向に押し倒すことにより、取っ手部３０１を下部筐体２０から突出させることができる。次に、下部筐体２０から突出した取っ手部３０１を掴み、外部装置２００をイジェクトする方向に引っ張ると、取っ手部３０１に連結されたイジェクト部材５００が同方向に移動する。
【００３６】
まず、イジェクト部材５０１の押圧部５０３と外部装置２００の背面２００ｄとの離間間隔Ｓが無くなるまで取っ手部３０１を引っ張った場合、イジェクト部材５０１は、押圧部５０３と外部装置２００の背面２００ｄとが当接する位置まで移動する。この移動の間に、  係合部材６０１の斜面部６０２は、イジェクト部材５０１の突出部５０６からの押圧を受け係合部材６０１を上方向に変位させる。そして、イジェクト部材５０１が押圧部５０３と背面２００ｄとが当接する位置まで移動した時には、係合部材６０１の被係合部６０３はイジェクト部材５０１の突出部５０６と係合し、係合部材６０１を係合解除位置に係止させた状態となる。これにより係合部材６０１の係合部６０５と外部装置２００の被係合部２０１との係合は解除され、外部装置２００の下部筐体２０からの係止解除作業が完了する。
【００３７】
更に取っ手部３０１をイジェクト方向に引っ張ることでイジェクト部材５００を同方向にスライドさせた場合、外部装置２００は、背面２００ｄをイジェクト部材５０１の押圧部５０３により押圧されて下部筐体２０の外部に押し出される。この時、イジェクト部材５００のスライダ５０４，５０５の筐体内部側の端部はスライダ指示部４０１，４０２と当接し、イジェクト部材５００を係止させる。そして、外部装置２００が下部筐体２０の外部に押し出された後、イジェクト部材５０１は、弾性部材５０８からの押圧を受けて外部装置２００の収容を許容する位置、即ち、イジェクト部材５００のスライダ５０４，５０５の筐体外部側の端部とスライダ指示部４０１，４０２とが当接する位置に戻る。また、取っ手部３０１は、ヒンジ部３０２に埋め込まれたばね３０５により、支持部３０３に対して略垂直の位置に戻る。
【００３８】
このように本実施例では、取っ手部３０１を引くことで外部装置２００と下部筐体２０との係合を解除すると共に、下部筐体２０から外部装置２００を取り出すことができる。即ち、一連の流れで外部装置２００の係止解除作業と外部装置２００の取り出し作業とを実行でき、外部装置２００の簡易な取り出し処理を実現する。
【００３９】
また、外部装置２００の係止解除作業については、取っ手部３０１を引っ張りイジェクト部材５０１を距離Ｓだけ動かすことで実行できる。また、外部装置２００取り出し完了後には、イジェクト部材５０１と取っ手部３０１とが弾性部材５０８とばね３０５の弾性力によって其々元の位置の戻り、外部装置２００の再度の収容を許容することができる。このように本実施例によると、イジェクト部材５００の下部筐体２０内部方向又は外部方向へのスライドにより、外部装置２００の着脱作業を実現する。これにより、本実施例では簡易な外部装置２００の着脱機構を実現する。外部装置の着脱作業に関する利便性を向上させることができる。
【００４０】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００４１】
【図１】本実施形態に係るパーソナルコンピュータの外観を示す概略図である。
【図２】本実施形態に係る外部装置２００の構成を示した図である。
【図３】本実施形態に係るパーソナルコンピュータ１００に外部装置２００が収容された状態を右側面２０ｆ側から見た図である。
【図４】本実施形態に係るパーソナルコンピュータ１００に外部装置２００が収容された状態を底面２０ｂ側から見た図である。
【図５】本実施形態に係るパーソナルコンピュータ１００に外部装置２００が収容された状態のＡ−Ａ部における断面図である。
【図６】本実施形態に係る本実施例の着脱機構１５０の構成を示す図である。
【図７】本実施形態に係る取っ手機構３００の斜視図である。
【図８】本実施形態に係る取っ手機構３００の構成を示す図である。
【図９】本実施形態に係るイジェクト部材５０１の斜視図である。
【図１０】本実施形態に係るイジェクト部材５０１の構成を示す図である。
【図１１】本実施形態に係る係合部材６０１の斜視図である。
【図１２】本実施形態に係る係合部材６０１の構成を示す図である。
【図１３】本実施形態に係る外部装置２００の側壁部２０３と斜面部６０４とが当接した様子を示した図である。
【図１４】本実施形態に係る外部装置２００の側壁部２０３上面と係合部６０５とが当接した様子を示した図である。
【図１５】本実施形態に係る外部装置２００の被係合部２０１と係合部６０５とが係合し、外部装置２００が収容部３１に収容された様子を示した図である。
【図１６】本実施形態に係る外部装置２００が収容部３１に収容された状態で取っ手部３０１を下部筐体２０外部に突出させた様子を示した図である。
【図１７】本実施形態に係るイジェクト部材５０１の押圧部５０３と外部装置２００の背面２００ｄとが当接した様子を示した図である。
【図１８】本実施形態に係る外部装置２００がイジェクト部材５０１の押圧部５０３からの押圧を受けて下部筐体２０外部方向に押し出される様子を示した図である。
【図１９】本実施形態に係る外部装置２００の押出作業完了後の様子を示した図である。
【図２０】本実施形態に係る外部装置２００が収容部３１に収容された状態における係合部材６０１の様子を示した図である。
【図２１】本実施形態に係るイジェクト部材５０１の係合部６０５と外部装置２００の被係合部２０１との係合が解除された様子を示した図である。
【図２２】本実施形態に係るイジェクト部材５０１の係合部６０５と外部装置２００の被係合部２０１との係合が解除された状態で、外部装置２００が下部筐体２０から押し出される様子を示した図である。
【符号の説明】
【００４２】
１…画像表示部
２…本体機能部
３…文字入力部
４Ａ…トラックパッド
４Ｂ…決定スイッチ
５０…指紋センサ
１０Ａ…表示部
１０…上部筐体
２０Ａ…本体部
２０…下部筐体（筐体）
２０ａ…上面
２０ｂ…底面
２０ｅ…左側面
２０ｆ…右側面
２０ｇ…前面
２０ｈ…背面
２０ｉ…前面
２０ｊ…下面
３０…挿入口部
３１…収容部
１００…パーソナルコンピュータ（電子機器）
１５０…着脱機構
２００…外部装置
２００ａ…上面
２００ｂ…下面
２００ｃ…前面
２００ｄ…背面
２００ｅ，ｆ…側面
２０１…凹部
２０２…コネクタ
２０３…側面部
２０４…被係合部
３００…取っ手機構
３０１…取っ手部
３０２…ヒンジ部
３０３…支持部
３０４…係止片
３０５…ばね
３０６…軸部
４００…スライド機構
４０１、４０２…スライダ支持部
５００…イジェクト機構
５０１…イジェクト部材
５０２…折曲片
５０３…押圧部
５０４、５０５…スライダ
５０６…突出部
５０７…弾性部材支持部
５０８…弾性部材
６００…係止機構
６０１…係合部材
６０２、６０４…斜面部
６０３…被係合部材
６０５…係合部
６０６…弾性部材支持部
６０７…弾性部材
６０８…係合支持部
Ｓ…外部装置２００の背面２００ｄと折曲部５０２とが距離
【図１】
2010073139.tif 000003
【図２】
2010073139.tif 000004
【図３】
2010073139.tif 000005
【図４】
2010073139.tif 000006
【図５】
2010073139.tif 000007
【図６】
2010073139.tif 000008
【図７】
2010073139.tif 000009
【図８】
2010073139.tif 000010
【図９】
2010073139.tif 000011
【図１０】
2010073139.tif 000012
【図１１】
2010073139.tif 000013
【図１２】
2010073139.tif 000014
【図１３】
2010073139.tif 000015
【図１４】
2010073139.tif 000016
【図１５】
2010073139.tif 000017
【図１６】
2010073139.tif 000018
【図１７】
2010073139.tif 000019
【図１８】
2010073139.tif 000020
【図１９】
2010073139.tif 000021
【図２０】
2010073139.tif 000022
【図２１】
2010073139.tif 000023
【図２２】
2010073139.tif 000024